(57)【要約】【課題】本発明の課題は腰掛け、膝立ち、俯せ等種々の体位に対応出来るチェアーキットを提供することにある。【解決手段】チェアー本体１、斜面部材２、上下背もたれ部材３，４、テーブル部材５を種々組合わせて腰掛け用、膝立ち用、あるいは俯せ用とする。【選択図】    図１４
2008054823.tif 000002
【特許請求の範囲】
【請求項１】
角形本体の前面から上面にかけて腰掛け凹部を設けたチェアー本体部材と、側面形状三角形で上面が斜面になっている斜面部材と、角形本体の前面から体収容凹部を設けた下段背もたれ部材と、角形本体の前面から体収容凹部を設けた上段背もたれ部材と、板状体の前面から体収容凹部を設けたテーブル部材とからなり、該チェアー本体部材と該下側背もたれ部材、該下側背もたれ部材と該上側背もたれ部材、および該下側背もたれ部材と該テーブル部材との相互に解離可能な結合手段によって結合することが可能であり、各部材はクッション材からなることを特徴とするチェアーキット。
【請求項２】
請求項１に記載のチェアーキットに更に坐る人の脚間を安定させる脚間ブロックと、坐る人の骨盤を支持する帯状パットと、坐る人の腰を支持する腰当てパットとチェアー本体に坐る人を支持するために両端部を該チェアー本体に着脱可能に取付けられるベルトとを追加したことを特徴とするチェアーキット。
【発明の詳細な説明】
【技術分野】
【０００１】
本発明は主として子供が腰をかけたり、膝をついて俯せになったりする時に使用するチェアーキットに関するものである。
【背景技術】
【０００２】
従来、例えば特許文献１に記載のように、大人用チェアーの座面に載せることによって、子供を座らせることを可能とする子供用折畳み式腰掛けが提供されている。
一方、例えば特許文献２に記載のように、子供のみが使用するための子供用椅子が提供されている。
【０００３】
【特許文献１】特開平１１−１４６８２２号公報
【特許文献２】特開２００４−３３７４０９号公報
【発明の開示】
【発明が解決しようとする課題】
【０００４】
ところが、上記のような腰掛けにおいては、クッション材はあるものの、子供が自由な体位を取ろうとして膝立ちになったり俯せになったりする場合に不向きであり、また上記子供用椅子においては、子供が大きくなるにつれて次第に大きなサイズのものを買い代える必要があった。
【課題を解決するための手段】
【０００５】
本発明は上記従来の課題を解決するための手段として、角形本体１１の前面から上面にかけて腰掛け凹部１２を設けたチェアー本体部材１と、側面形状三角形で上面が斜面２１になっている斜面部材２と、角形本体１１の前面から体収容凹部１２を設けた下段背もたれ部材４と、角形本体１１の前面から体収容凹部１２を設けた上段背もたれ部材３と、板状本体３１の前面から体収容凹部３２を設けたテーブル部材５とからなり、該チェアー本体部材１と該下側背もたれ部材４、該下側背もたれ部材４と該上側背もたれ部材３、および該下側背もたれ部材４と該テーブル部材５との相互に解離可能な結合手段によって結合することが可能であり、各部材はクッション材からなるチェアーキット、あるいは上記チェアーキットに更に坐る人の脚間を安定させる脚間ブロック６と、坐る人の骨盤を支持する帯状パット７と、坐る人の腰を支持する腰当てパットとチェアー本体１に坐る人を支持するために両端部を該チェアー本体１に着脱可能に取付けられるベルト８とを追加したチェアーキットを提供するものである。
【発明の効果】
【０００６】
〔作用〕
本発明では、該チェアー本体部材１の上面後端部に子供の体形に応じて下段背もたれ部材３のみを取付けたり、更に該下段背もたれ部材３の上に上段背もたれ部材４を重ねたり、あるいはチェアー本体部材１の前部上側に上段背もたれ部材４を前傾した状態で固定してテーブルとして使用したり、また該上段背もたれ部材４に代えてテーブル部材５を固定する。また該チェアー本体部材１の後半部下側に斜面部材２を差入れて該チェアー本体部材１の傾斜を調節出来る。
【０００７】
該チェアー本体部材１に腰かける場合、該本体部材１の体収容凹部１２の底面前端中央部に脚間ブロック６を取付けると、両脚が該脚間ブロック６によって安定に支持される。また帯状パット７を腰の後ろから横にかけて当て、骨盤を支持したり、腰当てパット９を腰の左右に当てると、腰が安定して楽に腰をかけることが出来、またベルト８を該チェアー本体部材１に取付けて体を支持すれば、チェアー１から体がずれ落ちることが防止される。
【０００８】
〔効果〕
本発明では一つのチェアーキットで部材の組合せを変えることにより、腰かける人の種々の体形に適応させることが出来、また膝立ちしたり、俯せになった時でも使い勝手が良い。
【発明を実施するための最良の形態】
【０００９】
本発明を図１〜図１８に示す一実施例によって以下に詳細に説明する。
図１、図２にはチェアー本体部材１が示される。該チェアー本体部材１の角形本体１１の前面から上面にかけては腰掛け凹部１２が形成されており、両側面前上部にはテーブル取付け用マジックファスナー１３，１３（メス）、上面後部には背もたれ部材取付け用マジックファスナー１４，１４（メス）、体収容凹部１２の両側面後部には二つ折りベルト取付け用マジックファスナー１５、体収容凹部１２底面前端部中央には脚間ブロック取付け用マジックファスナー１６（メス）が取付けられており、更に背面下部にもマジックファスナー１７（メス）が取付けられている。
【００１０】
図３には側面形状略直角三角形で上面が斜面２１になっている斜面部材２が示される。該斜面部材２の底面２２上部と下部には帯状マジックファスナー２３，２４（メスまたはオス）が取付けられており、中央部には図示しないマジックファスナーによってテーブルカバー２５が取付けられている。
【００１１】
図４、図５に示すのは下段背もたれ部材３であって、板状本体３１の前面からは体収容凹部３２が設けられており、両前端部には上段背もたれ部材取付け用マジックファスナー３３，３３（メス）が取付けられており、裏面には本体取付け用マジックファスナー３４が取付けられている。
【００１２】
図６、図７に示すのは上段背もたれ部材４であって、板状本体４１の前面からは体収容凹部４２が設けられており、両前端部には前記テーブルカバー２５取付け用マジックファスナー４３，４３（メス）が取付けられており、両側面前部にはテーブル部材取付け用マジックファスナー４４，４４が取付けられており、裏面両端部には下段背もたれ部材取付け用マジックファスナー４５，４５（オス）が取付けられている。
【００１３】
図８および図９に示すのはテーブル部材５であって、板状本体５１の後面からは体収容凹部５２が設けられており、裏面前寄り両側には二つ折りのマジックファスナー５３，５３が取付けられている。
【００１４】
図１０に示すのは脚間ブロック６であって略カマボコ状であり、底面には図示しないマジックファスナー（オス）が取付けられている。
【００１５】
図１１に示すのは帯状パット７であり、図１２に示すのは一対の腰当てパット９，９であり、図１３に示すのは二本のベルト８，８であって、両端部にはメスオス一対のマジックファスナー８１，８２が取付けられている。
以下に上記チェアーキットの種々の組合せについて説明する。
【００１６】
図１４に示すのは通常のチェアー組合せであり、本体部材１１の上面後端部には下段背もたれ部材３と上段背もたれ部材４とを重ねて取付けられている。更に該本体部材１１の上面にはテーブル部材５が取付けられており、該テーブル部材５の両側の二つ折りマジックファスナー５３，５３を開いて該本体部材１１の両側のマジックファスナー１３，１３に係合することによって固定される。
【００１７】
更に該本体部材１１の背面には斜面部材２が当接され、該斜面部材２底面上側のマジックファスナー２３は上段背もたれ部材４のマジックファスナー４６と、更に該斜面部材２底面下側のマジックファスナー２４は該本体部材１１の背面のマジックファスナー１７とそれぞれ係合して背もたれ部材３，４を本体部材１に強固に固定している。
【００１８】
この組合せでは子供Ｃは図１４に示すように本体部材１の腰掛け凹部１２に通常に腰かけテーブル部材５上に手を載せて安定してリラックスした前傾姿勢をとることが出来、テーブル部材５上におもちゃ等をおいて遊ぶことも出来る。なお子供Ｃの体はベルト８，８で支持するが、図１５に示すように該ベルト８，８の根端はベルト側のマジックファスナー８１，８２を本体部材１側の二つ折りマジックファスナー１５，１５にそれぞれ挟み込み係合することによって強固に取付けられている。
【００１９】
この組合せのバリエーションとしては、図１６に示すようにテーブル部材５を取りはずして子供Ｃが後向きに膝立ちして背もたれ部材３，４にもたれることが出来る。
【００２０】
図１７に示すのは斜面部材２を本体部材１の下側に後から挿入れて該本体部材１を若干前傾させた状態である。この状態では斜面部材２挿入れ深さによって該本体部材１の前傾角度を調節することが出来る。この状態ではテーブル板５に代えて上段背もたれ部材４をテーブルとして併用して使用する。この場合、斜面部材３の底面に取付けられているテーブルカバー２５を該背もたれ部材４上に載置する。
【００２１】
図１８に示す組合せでは斜面部材２を本体部材１の下側に後から挿入し、更に斜面部材２の後部に背もたれ部材３，４を縦にして載置し、その上にテーブル部材５を載せて、該テーブル部材５のマジックファスナー５３，５３を該上段背もたれ部材４のマジックファスナー４４，４４と係合して固定する。
【００２２】
この組合せでは子供Ｃは俯せになってテーブル部材５に寄りかかる。なおこの組合せにおいても斜面部材２の挿入れ深さによって、本体部材１の前傾角度を調節することが出来る。なお上記各種組合せにおいて、帯状パット７や腰当てパット９は任意に使用する。なお各部材はポリウレタン発泡体のようなクッション材料からなる芯材と該芯材を被覆する表皮材とからなる。
【産業上の利用可能性】
【００２３】
本発明のチェアーキットは、一種類で腰掛け、膝立ち、俯せ等の種々の体位をとることが出来る。
【図面の簡単な説明】
【００２４】
図１〜図１８は本発明の実施例を示すものである。
【図１】チェアー本体部材前側斜視図
【図２】チェアー本体部材後側斜視図
【図３】斜面部材裏側斜視図
【図４】下段背もたれ部材前側斜視図
【図５】下段背もたれ部材底面斜視図
【図６】上段背もたれ部材前側斜視図
【図７】下段背もたれ部材後側裏返し状態斜視図
【図８】テーブル部材前側斜視図
【図９】テーブル部材底面側斜視図
【図１０】脚間ブロック斜視図
【図１１】帯状パット展開図
【図１２】腰当てパット斜視図
【図１３】ベルト展開図
【図１４】通常チェアー組合せ状態の斜視図
【図１５】ベルト取付け状態説明図
【図１６】通常チェアー組合せ状態のバリエージュン斜視図
【図１７】チェアー本体部材を前傾させた組合せ状態の斜視図
【図１８】俯せ使用組合せ状態の斜視図
【符号の説明】
【００２５】
１，１１，３１，４１      本体
２                        斜面部材
３                        下段背もたれ部材
４                        上段背もたれ部材
５                        テーブル部材
６                        脚間ブロック
７                        帯状パット
８                        ベルト
１２，３２，４２，５２    体収容凹部（腰掛け凹部）
２１，２２                底面
２５                      テーブルカバー
【図１】
2008054823.tif 000003
【図２】
2008054823.tif 000004
【図３】
2008054823.tif 000005
【図４】
2008054823.tif 000006
【図５】
2008054823.tif 000007
【図６】
2008054823.tif 000008
【図７】
2008054823.tif 000009
【図８】
2008054823.tif 000010
【図９】
2008054823.tif 000011
【図１０】
2008054823.tif 000012
【図１１】
2008054823.tif 000013
【図１２】
2008054823.tif 000014
【図１３】
2008054823.tif 000015
【図１４】
2008054823.tif 000016
【図１５】
2008054823.tif 000017
【図１６】
2008054823.tif 000018
【図１７】
2008054823.tif 000019
【図１８】
2008054823.tif 000020